(57)【特許請求の範囲】
【請求項１】
物体側より像側へ順に配置された、正の屈折力の第１レンズ群、負の屈折力の第２レンズ群、正の屈折力の第３レンズ群、正の屈折力の第４レンズ群より構成され、ズーミングに際し、前記第１レンズ群は不動で、少なくとも前記第２レンズ群と前記第４レンズ群が移動し、ズーミングに際して隣り合うレンズ群の間隔が変化するズームレンズにおいて、
前記第３レンズ群は、物体側の面が凸でメニスカス形状の負レンズと該負レンズの像側に配置された正レンズを接合した接合レンズからなり、前記第４レンズ群は、物体側の面が凸でメニスカス形状の負レンズと該負レンズの像側に配置された正レンズを接合した接合レンズからなり、前記第３レンズ群と前記第４レンズ群の焦点距離を各々ｆ３、ｆ４とするとき、
０．６８＜ｆ３／ｆ４＜１．２０
なる条件式を満足することを特徴とするズームレンズ。
【請求項２】
前記第３レンズ群に含まれる負レンズの物体側のレンズ面の曲率半径をＲ３ｎ１とするとき、
１．３＜ｆ３／Ｒ３ｎ１＜１．８
なる条件式を満足することを特徴とする請求項１に記載のズームレンズ。
【請求項３】
前記第３レンズ群に含まれる負レンズの物体側のレンズ面の曲率半径をＲ３ｎ１、前記第３レンズ群に含まれる負レンズの像側のレンズ面の曲率半径をＲ３ｎ２とするとき、
１．１＜Ｒ３ｎ１／Ｒ３ｎ２＜１．５
なる条件式を満足することを特徴とする請求項１または２に記載のズームレンズ。 
【請求項４】
前記第３レンズ群に含まれる負レンズの材料の屈折率とアッベ数を各々Ｎ３ｎ、ν３ｎとするとき、
１．８６＜Ｎ３ｎ
ν３ｎ＜２９
なる条件式を満足することを特徴とする請求項１乃至３のいずれか１項に記載のズームレンズ。
【請求項５】
前記第４レンズ群に含まれる負レンズの材料の屈折率をＮ４ｎとするとき、
１．８６＜Ｎ４ｎ
なる条件式を満足することを特徴とする請求項１乃至４のいずれか１項に記載のズームレンズ。
【請求項６】
前記第１レンズ群の最も像側のレンズ面から前記第３レンズ群の最も物体側のレンズ面までの広角端における光軸上の距離をＤ１３ｗ、前記第２レンズ群の焦点距離をｆ２とするとき、
−８．６＜Ｄ１３ｗ／ｆ２＜−６．０
なる条件式を満足することを特徴とする請求項１乃至５のいずれか１項に記載のズームレンズ。
【請求項７】
像ぶれ補正に際して、前記第３レンズ群は、光軸に対して垂直方向の成分を持つ方向に移動することを特徴とする請求項１乃至６のいずれか１項に記載のズームレンズ。 
【請求項８】
広角端から望遠端へのズーミングに際して前記第２レンズ群は像側へ移動し、前記第４レンズ群は物体側に凸状の軌跡を描いて移動することを特徴とする請求項１乃至７のいずれか１項に記載のズームレンズ。
【請求項９】
前記第２レンズ群と前記第３レンズ群の間に開口絞りを有し、広角端から望遠端へのズーミングに際して、前記第２レンズ群は像側へ移動し、前記開口絞りと前記第３レンズ群と前記第４レンズ群は物体側に凸状の軌跡を描いて移動することを特徴とする請求項１乃至７のいずれか１項に記載のズームレンズ。
【請求項１０】
前記第２レンズ群は、物体側より像側へ順に、負レンズ、負レンズ、正レンズより成ることを特徴とする請求項１乃至９のいずれか１項に記載のズームレンズ。
【請求項１１】
請求項１乃至１０のいずれか１項に記載のズームレンズと、該ズームレンズによって形成される像を受光する撮像素子を有することを特徴とする撮像装置。
【発明の詳細な説明】
【技術分野】
【０００１】
本発明はズームレンズに関し、特にビデオカメラ、監視カメラ、デジタルスチルカメラ、放送用カメラ、銀塩写真用カメラ等の撮像装置に用いる撮像レンズとして好適なものである。
【背景技術】
【０００２】
ビデオカメラ、監視用カメラ、デジタルスチルカメラ等の撮像装置に用いる撮影光学系には、全系が小型で高ズーム比のズームレンズであることが求められている。小型で高ズーム比のズームレンズとして、最も物体側に正の屈折力（焦点距離の逆数）のレンズ群を配置し、全体として４つのレンズ群より成るポジティブリード型の４群ズームレンズが知られている。この４群ズームレンズとして、物体側より像側へ順に、正、負、正、正の屈折力の第１乃至第４レンズ群を有する４群ズームレンズが知られている。
【０００３】
このうち、第２レンズ群または第２レンズ群と第３レンズ群を移動させて変倍を行い、第４レンズ群を移動させて変倍に伴う像面変動を補正すると共にフォーカシングを行う、所謂リアフォーカスタイプの４群ズームレンズが知られている（特許文献１、２）。特許文献１、２では全体として少ないレンズ枚数であるにもかかわらず、全ズーム範囲にわたり高い光学性能を有した４群ズームレンズを開示している。
【先行技術文献】
【特許文献】
【０００４】
【特許文献１】特開平８−２０１６９５号公報
【特許文献２】特開２００１−１１６９９６号公報
【発明の概要】
【発明が解決しようとする課題】
【０００５】
前述した構成のポジティブリード型の４群ズームレンズは全系の小型化及び高ズーム比を図るのが比較的容易である。しかしながら全系の小型化及び高ズーム比化を図りつつ、全ズーム範囲にわたり高い光学性能を得るには、各レンズ群の屈折力そして各レンズ群のレンズ構成等を適切に設定することが重要になってくる。例えば全体として少ないレンズ枚数で、かつ製造誤差による光学性能の劣化を軽減しつつ、全ズーム範囲にわたり、高い光学性能を得るには第３レンズ群と第４レンズ群の屈折力やレンズ構成等を適切に設定することが重要になっている。
【０００６】
これらの構成を適切に設定しないと、全系の小型化及び高ズーム比化を図り、全ズーム範囲にわたり高い光学性能を得るのが困難になってくる。例えば前述した４群ズームレンズのうち、第１レンズ群がズーミングに際して固定された４群ズームレンズでは、広角端において第３レンズ群に入射する光束の光束径が太くなる光学特性がある。その為、第３レンズ群は広角端において球面収差やコマ収差を補正するような光学的役割を持つ。
【０００７】
このとき、第３レンズ群の屈折力を弱くし、広角端において第４レンズ群へ入射する光束径を太くすれば、第３レンズ群と第４レンズ群の全体で広角端において球面収差やコマ収差を補正するのが容易となる。しかしながら、製造誤差等で例えば第３レンズ群と第４レンズ群とが偏芯した場合には、偏芯に因るコマ収差が多く発生してくる。
【０００８】
これに対し、第３レンズ群の屈折力を強めれば、第３レンズ群内のみで広角端における球面収差やコマ収差を補正するのが可能になる。このとき収差補正を良好に行いつつ、第３レンズ群のレンズ枚数を少なくするためには、第３レンズ群を物体側から像側へ順に正レンズ、負レンズの順に配し、最も像側のレンズ面に負の屈折力を持たせる方法がある。この方法では、最も像側のレンズ面以外のレンズ面で正の屈折力を確保する都合上、最も物体側のレンズ面の曲率がきつくなる、もしくは、正レンズと負レンズの間の空気レンズの屈折力が強くなり易い。
【０００９】
その結果、高次の球面収差やコマ収差が多く発生しやすくなる。そうすると、部品の製造誤差があると光学性能が大きく劣化してくる。特に短波長と長波長での球面収差の差が多く発生し、これらの収差を補正するのが難しくなってくる。
【００１０】
本発明は全系が小型でかつ高ズーム比で、製造誤差を考慮しても、全ズーム範囲にわたり高い光学性能を有したズームレンズ及びそれを有する撮像装置を提供することを目的とする。
【課題を解決するための手段】
【００１１】
本発明のズームレンズは、物体側より像側へ順に配置された、正の屈折力の第１レンズ群、負の屈折力の第２レンズ群、正の屈折力の第３レンズ群、正の屈折力の第４レンズ群より構成され、ズーミングに際し、前記第１レンズ群は不動で、少なくとも前記第２レンズ群と前記第４レンズ群が移動し、ズーミングに際して隣り合うレンズ群の間隔が変化するズームレンズにおいて、
前記第３レンズ群は、物体側の面が凸でメニスカス形状の負レンズと該負レンズの像側に配置された正レンズを接合した接合レンズからなり、前記第４レンズ群は、物体側の面が凸でメニスカス形状の負レンズと該負レンズの像側に配置された正レンズを接合した接合レンズからなり、前記第３レンズ群と前記第４レンズ群の焦点距離を各々ｆ３、ｆ４とするとき、
０．６８＜ｆ３／ｆ４＜１．２０
なる条件式を満足することを特徴としている。
【発明の効果】
【００１２】
本発明によれば、全系が小型でかつ高ズーム比で、全ズーム範囲にわたり高い光学性能を有したズームレンズが得られる。
【図面の簡単な説明】
【００１３】
【図１】実施例１のズームレンズの広角端におけるレンズ断面図
【図２】（Ａ）、（Ｂ）、（Ｃ）  実施例１のズームレンズの広角端における諸収差図
【図３】実施例２のズームレンズの広角端におけるレンズ断面図
【図４】（Ａ）、（Ｂ）、（Ｃ）  実施例２のズームレンズの広角端における諸収差図
【図５】実施例３のズームレンズの広角端におけるレンズ断面図
【図６】（Ａ）、（Ｂ）、（Ｃ）  実施例３のズームレンズの広角端における諸収差図
【図７】実施例４のズームレンズの広角端におけるレンズ断面図
【図８】（Ａ）、（Ｂ）、（Ｃ）  実施例４のズームレンズの広角端における諸収差図
【図９】本発明のビデオカメラの要部概略図
【発明を実施するための形態】
【００１４】
以下、図面を用いて本発明のズームレンズ及びそれを有する撮像装置の実施例について説明する。本発明のズームレンズは、物体側より像側へ順に配置された、正の屈折力の第１レンズ群、負の屈折力の第２レンズ群、正の屈折力の第３レンズ群、正の屈折力の第４レンズ群を有する。そしてズーミングに際して第１レンズ群は不動であり、少なくとも第２、第４レンズ群が光軸上を移動し、ズーミングに際して隣り合うレンズ群の間隔が変化する。本発明のズームレンズは、第１レンズ群の物体側又は第４レンズ群の像側の少なくとも一方に屈折力のあるレンズ群が配置されていても良い。
【００１５】
図１は本発明の実施例１のズームレンズの広角端（短焦点距離端）におけるレンズ断面図、図２（Ａ），（Ｂ），（Ｃ）はそれぞれ実施例１のズームレンズの広角端、中間のズーム位置、望遠端（長焦点距離端）における収差図である。図３は本発明の実施例２のズームレンズの広角端におけるレンズ断面図、図４（Ａ），（Ｂ），（Ｃ）はそれぞれ実施例２のズームレンズの広角端、中間のズーム位置、望遠端における収差図である。
【００１６】
図５は本発明の実施例３のズームレンズの広角端におけるレンズ断面図、図６（Ａ），（Ｂ），（Ｃ）はそれぞれ実施例３のズームレンズの広角端、中間のズーム位置、望遠端における収差図である。図７は本発明の実施例４のズームレンズの広角端におけるレンズ断面図、図８（Ａ），（Ｂ），（Ｃ）はそれぞれ実施例４のズームレンズの広角端、中間のズーム位置、望遠端における収差図である。図９は本発明のズームレンズを搭載するビデオカメラ（撮像装置）の要部概略図である。
【００１７】
実施例１乃至４のズームレンズは撮像装置に用いられる撮影レンズ系である。レンズ断面図において、左方が物体側で、右方が像側である。レンズ断面図において、Ｌ１は正の屈折力の第１レンズ群、Ｌ２は負の屈折力の第２レンズ群、Ｌ３は正の屈折力の第３レンズ群、Ｌ４は正の屈折力の第４レンズ群である。ＳＰは開口絞りであり、第３レンズ群Ｌ３の物体側に位置しており、ズーミングに際して不動又は移動している。
【００１８】
Ｇは光学フィルター、フェースプレート等に相当する光学ブロックである。ＩＰは像面であり、デジタルスチルカメラやビデオカメラの撮影光学系として使用する際にはＣＣＤセンサやＣＭＯＳセンサ等の固体撮像素子の撮像面が銀塩フィルム用カメラのときはフィルム面に相当する。球面収差図において、ｄ、ｇは各々ｄ線、ｇ線を表している。非点収差図においてΔＭ、ΔＳは各々ｄ線におけるメリジオナル像面、サジタル像面を表している。歪曲収差においてはｄ線を表示し、倍率色収差においてはｄ線に対するｇ線の収差を表示している。ＦｎｏはＦナンバー、Ｙは像高である。
【００１９】
尚、以下の各実施例において広角端と望遠端は変倍レンズ群（第２レンズ群）が機構上光軸上を移動可能な範囲の両端に位置したときのズーム位置をいう。
【００２０】
実施例１、２、４では、広角端から望遠端へのズーミングに際して矢印のように、第２レンズ群Ｌ２を像側に移動する。また、第４レンズ群L４を物体側に凸状の軌跡で移動させることで変倍に伴う像面変動を補正している。実施例３では広角端から望遠端へのズーミングに際して第２レンズ群Ｌ２が像側へ、開口絞りＳＰと第３レンズ群Ｌ３と、第４レンズ群Ｌ４はいずれも物体側に凸状の軌跡で移動する。
【００２１】
また、各実施例では第４レンズ群Ｌ４を光軸上移動させてフォーカシングを行うリアフォーカス式を採用している。第４レンズ群Ｌ４に関する実線の曲線４ａと点線の曲線４ｂは、各々無限遠物体と近距離物体にフォーカスしているときの変倍に伴う像面変動を補正するための移動軌跡である。又、望遠端において無限遠物体から近距離物体へフォーカスを行う場合には、矢印４Ｃに示すように第４レンズ群Ｌ４を前方に繰り出すことで行っている。
【００２２】
又、撮影時には、必要に応じて第３レンズ群Ｌ３を光軸に対して垂直方向の成分を持つ方向に移動させる事によって撮影画像を光軸に対して垂直方向に移動させている。これによってズームレンズが振動したときの撮影画像のブレを補正している。即ち防振を行なっている。各実施例のズームレンズでは、物体側から像側へ順に、正の屈折力の第１レンズ群Ｌ１、負の屈折力の第２レンズ群Ｌ２、正の屈折力の第３レンズ群Ｌ３、正の屈折力の第４レンズ群Ｌ４より構成し、全系の小型化とともに高ズーム比化を容易にしている。
【００２３】
このようなズームタイプのズームレンズでは、第１レンズ群Ｌ１が偏芯すると望遠端において像面湾曲が回転対称でなくなり、例えば画面の左右で合焦する被写体距離が異なってしまい好ましくない。その為、第１レンズ群Ｌ１はズーミング時に像面に対して固定しとしレンズ鏡筒とのクリアランス（移動空間）を持たない様にしている。
【００２４】
第３レンズ群Ｌ３は物体側の面が凸でメニスカス状の負レンズと、該負レンズの像側に配置された正レンズを接合した接合レンズより構成している。これにより、第３レンズ群Ｌ３内の２枚のレンズの偏芯を防ぐと共に、特に広角端において接合レンズ面への軸外光束の下光線の入射角を緩やかにし、高次の球面収差やコマ収差の補正を容易にしている。更に短波長と長波長での球面収差の差やコマ収差の差を良好に補正している。
【００２５】
第４レンズ群Ｌ４は物体側の面が凸でメニスカス状の負レンズと、該負レンズの像側に配置された正レンズを接合した接合レンズより構成している。これにより２枚のレンズの偏芯を防ぐと共に、特に広角端において接合レンズ面への軸上光線の入射角を緩やかにし、短波長と長波長での球面収差の差を良好に補正している。第３レンズ群Ｌ３及び第４レンズ群Ｌ４共に負レンズと正レンズより構成して色消しをする事で、ズーミングの際の軸上色収差の変動を軽減している。
【００２６】
そして第３レンズ群Ｌ３と第４レンズ群Ｌ４の焦点距離を各々ｆ３、ｆ４とする。このとき、
０．６８＜ｆ３／ｆ４＜１．２０      ・・・（１）
なる条件式を満足している。
【００２７】
条件式（１）は第３レンズ群Ｌ３と第４レンズ群Ｌ４の焦点距離の比を規定した式である。条件式（１）の上限値を超えて、第３レンズ群Ｌ３の屈折力が弱くなると、広角端において第４レンズ群Ｌ４へ入射する光束径が太くなってくる。各実施例のズームレンズでは第３レンズ群Ｌ３と第４レンズ群Ｌ４の全体で広角端における球面収差やコマ収差の補正を行なっている。
【００２８】
この為、製造誤差等で第３レンズ群Ｌ３と第４レンズ群Ｌ４とが偏芯した場合に、広角端において球面収差やコマ収差の補正が困難となり、偏芯に因るコマ収差が多く発生してしまう。逆に下限値を超えた場合、第３レンズ群Ｌ３の屈折力が強くなり、広角端において球面収差やコマ収差の補正が困難になる。また、第４レンズ群Ｌ４の屈折力が弱くなる為、第４レンズ群Ｌ４でズーミングに際して像面変動の補正を行なう際には、望遠端側において第４レンズ群Ｌ４の移動量が大きくなり、像面湾曲の変動を良好に補正する事が困難となる。更に好ましくは条件式（１）の数値範囲を次の如く設定するのが良い。
【００２９】
０．７１＜ｆ３／ｆ４＜１．１６ ・・・（１ａ）
各実施例において、更に好ましくは次の条件式のうち１以上を満足するのが良い。第３レンズ群Ｌ３に含まれる負レンズの物体側と像側のレンズ面の曲率半径を各々Ｒ３ｎ１、Ｒ３ｎ２とする。第３レンズ群Ｌ３に含まれる負レンズの材料の屈折率とアッベ数を各々Ｎ３ｎ、ν３ｎ、第４レンズ群Ｌ４に含まれる負レンズの材料の屈折率をＮ４ｎとする。広角端において第１レンズ群Ｌ１の最も像側のレンズ面から第３レンズ群Ｌ３の最も物体側のレンズ面までの距離をＤ１３ｗ、第２レンズ群Ｌ２の焦点距離をｆ２とする。このとき以上の条件式のうち１以上を満足するのが良い。
【００３０】
１．３＜ｆ３／Ｒ３ｎ１＜１．８      ・・・（２）
１．１＜Ｒ３ｎ１／Ｒ３ｎ２＜１．５  ・・・（３）
１．８６＜Ｎ３ｎ                    ・・・（４）
ν３ｎ＜２９                        ・・・（５）
１．８６＜Ｎ４ｎ                    ・・・（６）
−８．６＜Ｄ１３ｗ／ｆ２＜−６．０  ・・・（７）
次に各条件式の技術的意味について説明する。
【００３１】
条件式（２）は第３レンズ群Ｌ３の焦点距離と第３レンズ群Ｌ３中の（第３レンズ群Ｌ３に含まれる）負レンズの物体側のレンズ面の曲率半径の比を規定した式である。第３レンズ群Ｌ３は一組の接合レンズのみで構成される為、所望する第３レンズ群Ｌ３の焦点距離に対して、球面収差係数とコマ収差係数が小さくなる曲率半径は限定的である。従って、条件式（２）は上限値を超えた場合も下限値を超えた場合も、広角端において球面収差とコマ収差の補正が困難となる。
【００３２】
条件式（３）は第３レンズ群Ｌ３中の負レンズの物体側のレンズ面と像側のレンズ面の曲率半径の比を規定したものである。条件式（３）の上限値を超えて、第３レンズ群Ｌ３中の接合レンズ面の屈折力が強くなると、広角端において短波長と長波長での球面収差の差を補正する事が困難となる。逆に下限値を超えると、第３レンズ群Ｌ３内での色消しが不足し、この結果、第３レンズ群Ｌ３と第４レンズ群Ｌ４全体で色消しを行わなければならなくなる。
【００３３】
その結果、製造誤差等で第３レンズ群Ｌ３と第４レンズ群Ｌ４とが偏芯した場合に、波長毎の結像位置が異なり、あたかも倍率色収差が多く発生した様な画像となり好ましくない。
【００３４】
条件式（４）は第３レンズ群Ｌ３中の負レンズの材料のｄ線における屈折率を規定した式である。条件式（４）の下限値を超えると、広角端において球面収差とコマ収差の補正が困難となる。条件式（５）は第３レンズ群Ｌ３中の負レンズの材料のアッベ数を規定した式である。条件式（５）の上限値を超えると、広角端において短波長と長波長での球面収差の差を補正する事が困難となる。条件式（６）は第４レンズ群Ｌ４中の負レンズの材料のｄ線の屈折率を規定した式である。条件式（６）の下限値を超えると、中間焦点距離のズーム位置においてコマ収差の補正が困難となる。
【００３５】
条件式（７）は広角端において第１レンズ群Ｌ１の最も像側のレンズ面から第３レンズ群Ｌ３の最も物体側のレンズ面までの距離と第２レンズ群Ｌ２の焦点距離を規定した式である。
【００３６】
各実施例ではズーミングに際して第１レンズ群Ｌ１を像面に対して不動としている。そして広角端から望遠端へのズーミングに際して、第１レンズ群Ｌ１と第３レンズ群Ｌ３の間隔を第２レンズ群Ｌ２が像側へ移動する事で変化させて変倍する。従って、高ズーム比化を図るには第２レンズ群Ｌ２の移動量が増加し、広角端において第２レンズ群Ｌ２と第３レンズ群Ｌ３の間隔が増加し、第３レンズ群Ｌ３に入射する軸上光束径が太くなる。
【００３７】
各実施例では第３レンズ群Ｌ３で広角端における球面収差とコマ収差を補正する事が容易である。このため、第３レンズ群Ｌ３に入射する軸上光束径が太くなり、高ズーム比化を容易にしている。
【００３８】
条件式（７）の上限値を超えると、ズーミングに際しての像面湾曲の変動の補正が困難となる。逆に下限値を超えると、高ズーム比化が困難になる。更に好ましくは条件式（２）〜（７）の数値範囲を以下の如く特定するのが良い。
【００３９】
１．４＜ｆ３／Ｒ３ｎ１＜１．７      ・・・（２ａ）
１．２＜Ｒ３ｎ１／Ｒ３ｎ２＜１．４  ・・・（３ａ）
１．９＜Ｎ３ｎ                      ・・・（４ａ）
ν３ｎ＜２８．５                    ・・・（５ａ）
１．９＜Ｎ４ｎ                      ・・・（６ａ）
−８．２＜Ｄ１３ｗ／ｆ２＜−６．３  ・・・（７ａ）
以上のように各実施例によれば、少ないレンズ枚数で製造誤差を軽減し良好な光学性能を有する高ズーム比のズームレンズが得られる。
【００４０】
また、各実施例では、第３レンズ群Ｌ３を光軸と垂直方向の成分を持つ方向に移動させて防振を行うのが良い。各実施例では第３レンズ群Ｌ３と第４レンズ群Ｌ４とが偏芯した際にも良好な光学性能を得る事が容易な為、第３レンズ群Ｌ３を光軸と垂直方向の成分を持つ方向に移動させ、手振れによる像の移動を補正する機能に適している。また各実施例においては、第１レンズ群Ｌ１は物体側から像側へ順に、負レンズと正レンズを接合した接合レンズ、そして正レンズより構成するのが良い。
【００４１】
これによれば、全系の色収差の補正が容易になる。また第２レンズ群Ｌ２は物体側より像側へ順に、互いに独立した負レンズ、負レンズ、正レンズより構成するのが良い。これによれば、ズーミングに際しての収差変動を軽減するのが容易になる。
【００４２】
次に本発明のズームレンズを撮影光学系として用いたビデオカメラの実施例を図９を用いて説明する。図９において、１０はビデオカメラ本体、１１は本発明のズームレンズによって構成された撮影光学系である。１２は撮影光学系１１によって形成された被写体像を受光するＣＣＤセンサやＣＭＯＳセンサ等の固体撮像素子（光電変換素子）である。１３は撮像素子１２によって光電変換された被写体像に対応する情報を記憶するメモリ、１４は不図示の表示素子によって表示された被写体像を観察するためのファインダーである。
【００４３】
このように本発明のズームレンズをビデオカメラ等の撮像装置に適用することにより、小型で高い光学性能を有する撮像装置が実現できる。尚、本発明のズームレンズはデジタルスチルカメラにも同様に適用することができる。またクイックリターンミラーのないミラーレスの一眼レフカメラにも適用することができる。
【００４４】
以下に、実施例１〜４に各々対応する数値実施例１〜４を示す。各数値実施例において、ｉは物体側からの面の順番を示し、ｒｉは第ｉ番目（第ｉ面）の曲率半径、ｄｉは第ｉ＋１面との間の間隔、ｎｄｉ、νｄｉはそれぞれｄ線を基準とした第ｉ番目の光学部材の材料の屈折率、アッベ数を示す。また、数値実施例１〜４では最も像側の２つの面は光学ブロックに相当する平面である。非球面形状は光軸からの高さＨの位置での光軸方向の変位を面頂点を基準にしてＸとする。光の進行方向を正としＲを近軸曲率半径、ｋを円錐定数、Ａ４を非球面係数とする。このとき
【００４５】
【数１】
0005858761.tif 000002
【００４６】
なる式で表している。＊は非球面形状を有する面を意味している。「ｅ−ｘ」は１０−ｘを意味している。前述の各条件式と数値実施例における諸数値との関係を表１に示す。
【００４７】
［数値実施例１］
単位 mm
面データ
面番号       r        d      nd         νd
1         44.940    1.05   1.84666    23.9           
2         23.862    4.30   1.60311    60.6           
3       -473.951    0.17                             
4         22.080    2.40   1.71300    53.9           
5         51.210  (可変)                             
6         24.701    0.60   1.80400    46.6           
7          4.650    3.20                             
8        -21.240    0.60   1.80400    46.6           
9         11.919    0.55                             
10          9.756    1.45   1.95906    17.5           
11         27.784  (可変)                             
12(絞り)    ∞       0.90                             
13         12.152    0.60   1.95906    17.5           
14          9.697    2.35   1.58313    59.4           
15*       -39.554  (可変)                             
16          9.358    0.60   1.90366    31.3           
17          5.830    2.52   1.48749    70.2           
18        -17.932  (可変)                             
19          ∞       1.63   1.51633    64.1           
20          ∞       1.00                             
像面        ∞   
非球面データ
第15面
K =-7.42118e+000  A 4= 1.23507e-004  
各種データ
ズーム比     31.73 
広角     中間     望遠
焦点距離       2.89    25.27    91.57  
Fナンバー      1.85     3.97     4.50  
画角          31.37     3.64     1.01  
像高           1.76     1.61     1.61  
レンズ全長    65.95    65.95    65.95  
BF             9.35    14.31     4.61  
d 5            0.50    20.28    25.22  
d11           26.95     7.17     2.23  
d15            7.85     2.90    12.59  
d18            7.28    12.23     2.54  
ズームレンズ群データ
群  始面    焦点距離  
1    1      35.11  
2    6      -5.23  
3   12      18.32  
4   16      19.07  
5   19       ∞    
【００４８】
［数値実施例２］
単位 mm
面データ
面番号       r        d      nd         νd
1         44.286    1.04   1.84666    23.8           
2         24.271    4.28   1.59282    68.6           
3       -520.751    0.17                             
4         22.200    2.35   1.72000    50.2           
5         52.927  (可変)                             
6         69.186    0.60   1.88300    40.8           
7          4.883    2.97                             
8        -19.056    0.62   1.83481    42.7           
9         13.765    0.17                             
10         10.172    1.65   1.95906    17.5           
11         62.913  (可変)                             
12(絞り)    ∞       0.75                             
13         11.903    1.32   2.10205    16.8           
14          9.765    2.27   1.55332    71.7           
15*       -33.145  (可変)                             
16          9.123    0.60   1.91082    35.3           
17          5.803    2.60   1.49700    81.5           
18        -18.830  (可変)                             
19          ∞       1.63   1.51633    64.1           
20          ∞       1.00                             
像面        ∞   
非球面データ
第15面
K =-1.41708e+000  A 4= 1.59187e-004  
各種データ
ズーム比     32.88 
広角     中間     望遠
焦点距離       2.78    27.90    91.52  
Fナンバー      1.85     4.02     4.50  
画角          33.61     3.23     0.99  
像高           1.85     1.58     1.58  
レンズ全長    66.03    66.03    66.03  
BF             9.08    14.54     5.35  
d 5            0.82    21.03    25.46  
d11           26.70     6.49     2.05  
d15            8.02     2.56    11.75  
d18            7.01    12.47     3.28  
ズームレンズ群データ
群  始面    焦点距離  
1    1      34.74  
2    6      -4.96  
3   12      18.38  
4   16      18.21  
5   19       ∞    
【００４９】
［数値実施例３］
単位 mm
面データ
面番号       r        d      nd         νd
1         57.361    1.45   2.00069    25.5           
2         30.951    4.26   1.59282    68.6           
3       -539.073    0.17                             
4         27.792    2.71   1.77250    49.6           
5         73.513  (可変)                             
6         43.125    0.60   1.83481    42.7           
7          5.681    4.19                             
8        -20.687    0.60   1.77250    49.6           
9         14.545    0.49                             
10         12.254    1.97   1.92286    18.9           
11         62.658  (可変)                             
12(絞り)    ∞     (可変)                             
13         12.171    0.60   2.00330    28.3           
14          9.150    3.28   1.55332    71.7           
15*       -29.328  (可変)                             
16         11.279    0.60   2.00330    28.3           
17          7.441    2.33   1.48749    70.2           
18        -26.656  (可変)                             
19          ∞       1.98   1.51633    64.1           
20          ∞       1.00                             
像面        ∞   
非球面データ
第15面
K =-1.04391e+001  A 4= 4.07179e-005  
各種データ
ズーム比     36.67 
広角     中間     望遠
焦点距離       3.09     8.43   113.40  
Fナンバー      1.85     2.91     4.50  
画角          36.04    14.94     1.14  
像高           2.25     2.25     2.25  
レンズ全長    79.79    79.79    79.79  
BF             9.39    13.41     4.77  
d 5            0.50    13.44    32.86  
d11           26.35     6.94     2.26  
d12            9.10    11.62     1.42  
d15           11.18    11.11    15.21  
d18            7.09    11.11     2.47  
ズームレンズ群データ
群  始面    焦点距離  
1    1      43.71  
2    6      -6.03  
3   12       ∞    
4   13      19.42  
5   16      25.86  
6   19       ∞    
【００５０】
［数値実施例４］
単位 mm
面データ
面番号       r        d      nd         νd
1         42.179    1.50   1.84666    23.8           
2         25.274    4.57   1.59282    68.6           
3      -32112.229    0.17                             
4         25.339    2.35   1.71300    53.9           
5         57.594  (可変)                             
6         52.203    0.60   1.88300    40.8           
7          4.873    3.08                             
8        -18.143    0.60   1.80400    46.6           
9         13.993    0.50                             
10         10.792    1.55   1.95906    17.5           
11         46.060  (可変)                             
12(絞り)    ∞       0.68                             
13         12.900    0.83   2.00330    28.3           
14         10.182    2.69   1.49710    81.6           
15*       -27.582  (可変)                             
16          9.961    0.60   2.00330    28.3           
17          6.685    2.67   1.48749    70.2           
18        -18.101  (可変)                             
19          ∞       1.63   1.51633    64.1           
20          ∞       1.00                             
像面        ∞   
非球面データ
第15面
K =-3.16607e+000  A 4= 9.93502e-005  
各種データ
ズーム比     49.97 
広角     中間     望遠
焦点距離       2.71    35.46   135.42  
Fナンバー      1.85     5.67     6.40  
画角          34.32     2.54     0.67  
像高           1.85     1.58     1.58  
レンズ全長    74.38    74.38    74.38  
BF            10.80    18.07     4.20  
d 5            0.72    24.52    29.05  
d11           30.44     6.63     2.10  
d15           10.03     2.76    16.63  
d18            8.73    16.00     2.13  
ズームレンズ群データ
群  始面    焦点距離  
1    1      38.68  
2    6      -4.88  
3   12      21.67  
4   16      19.70  
5   19       ∞    
【００５１】
【表１】
0005858761.tif 000003
【符号の説明】
【００５２】
Ｌ１：第１レンズ群  Ｌ２：第２レンズ群  Ｌ３：第３レンズ群  Ｌ４：第４レンズ群
ＳＰ：絞り    Ｇ：ガラスブロック    ＩＰ：像面    ｄ：ｄ線    ｇ：ｇ線
Ｆｎｏ：Ｆナンバー    ω：半画角    
ＤＳ：サジタル像面    ＤＭ：メリジオナル像面
【図１】
0005858761.tif 000004
【図２】
0005858761.tif 000005
【図３】
0005858761.tif 000006
【図４】
0005858761.tif 000007
【図５】
0005858761.tif 000008
【図６】
0005858761.tif 000009
【図７】
0005858761.tif 000010
【図８】
0005858761.tif 000011
【図９】
0005858761.tif 000012